(57)【要約】【課題】直線棒状の箒の柄部１ａの先端に箒のブラシ部１ｂを連接した構成の通常一般の箒１を保管するとき、箒のブラシ部１ｂの先端を下に向けて保管しても、箒のブラシ部１ｂが床や地面に触れて折れ曲がって癖付けられないように、箒１を床や地面から浮かして保管するための用具を提供することを目的とする。【解決手段】箒の柄部１ａを挟んで把持し、箒１に取り付く挟着部材と、挟着部材から箒のブラシ部１ｂの方向に伸びる箒のブラシ部１ｂの丈より長くて床や地面と接する側に台座７を備えた脚３ｄよりなり、箒１を箒のブラシ部１ｂの先端を下に向けて保管しても、取り付け位置を調整することにより、脚３ｄが箒のブラシ部１ｂより先に床や地面に触れ、箒１を床や地面から浮かすことのできる箒保管用具を提供する。【選択図】図1
2013244089.tif 000002
【特許請求の範囲】
【請求項１】
箒立て器具であって、脚とこの脚の上端部に２つの挟着片からなる挟着部材を備え、前記脚の下端部には、板状の台座を備えたことを特徴とする箒保管用具。
【請求項２】
前記２つの挟着片の内面側に滑り止めを取り付けた請求項１の箒保管用具。
【請求項３】
上記台座を塵入れ部としたことを特徴とする請求項１又は２のいずれかに記載の箒保管用具。    
【請求項４】
上記脚と挟着片の一方と台座を一体成型したことを特徴とする請求項１ないし３のいずれかに記載の箒保管用具。
【発明の詳細な説明】
【技術分野】
【０００１】
本発明は、直線棒状の箒の柄部の先端に箒のブラシ部を連接した構成の、手で握って使用する通常一般の箒を保管するとき、箒のブラシ部の先端を下に向けて保管しても、箒のブラシ部が床や地面に触れて折れ曲がって癖付けられることが無いようにする箒保管用具に関するものである。
【背景技術】
【０００２】
箒を保管するとき、箒のブラシ部の先端を床や地面につけて、壁などの静止物に立て掛けると、箒を手軽に保管でき便利であるが、箒のブラシ部の先が折れ曲がって癖付けられ、使いづらい箒となってしまう。それで昔から、箒は、箒のブラシ部を下にして、吊るして保管する方法がとられてきた。この保管方法は、箒のブラシ部が下に垂れるので、型崩れの心配もなく、箒の望ましい保管方法とされてきた。
【０００３】
ところが、現代の家屋では建築材料の変化や、美観を損ねる、危険である、木材が露出している箇所が少ない等の理由で、箒を吊るして保管する突起を手軽に作ることが困難になってきた。また、掃除道具を入れるロッカーを置こうとすると、置く場所の確保が問題になる。そこで、保管用具に合わせた特別な構造を持つ箒を塵取り兼用の保管用具で保管するものや、塵取りに、箒の柄部を押し込んで挟み、箒を把持できる部分を設け、箒を保管することができるようにしたもの等が使われるようになってきた。これらは、箒のブラシ部の先端を下に向けて箒を保管でき、箒のブラシ部が下に垂れるので型崩れの心配がない。更に、保管場所の変更が容易であり、塵取りと箒が一緒に保管されていているので使いやすく、見た目が良く、保管の為のスペースが少なくてすむといった多くの利点を持ち、広く普及している。
【先行技術文献】
【特許文献】
【０００４】
【特許文献１】実用新案登録番号  第３０３１９４５号
【特許文献２】特開平１０−２６２８９０
【特許文献３】特開２００１−１９８０６９
【特許文献４】特開２００４−８２６７
【特許文献５】特開２００５−２４５６６５
【特許文献６】特表２００５−５１４９７７
【特許文献７】特開２００７−４４３８４
【特許文献８】特開２００９−７７８０４
【発明の概要】
【発明が解決しようとする課題】
【０００５】
しかしながら、保管用具に合わせた特別な構造を持つ箒を塵取り兼用の保管用具で保管するものでは、数多く使われている特別な構造を持たないい箒を保管することはできない。
また、箒の柄部を押し込んで挟み、箒の柄部を把持して箒を保管することができるようにした塵取りは、数多く使われている箒の多くを保管することができて便利である。しかし、この方法は、箒の柄部を挟んで把持する部分への箒の着脱に強い力が必要で、スムーズな着脱ができないのでストレスを感じることがあった。
【０００６】
本発明は、箒の保管についてのこれらの課題を解決するためのもので、箒の柄部の先端に箒のブラシ部を連接しただけの箒に取り付け、箒のブラシ部の先端を下に向けて保管しても、箒のブラシ部が床や地面に触れないようにすることができ、保管場所の変更が容易であり、箒への着脱がスムーズにでき、見た目が良く、保管の為のスペースが少ないものであることを目的とする。
【課題を解決するための手段】
【０００７】
この発明は、請求項１として、箒立て器具であって、脚とこの脚の上端部に２つの挟着片からなる挟着部材を備え、前記脚の下端部には、板状の台座を備えたことを特徴とする箒保管用具。請求項２として、前記２つの挟着片の内面側に滑り止めを取り付けた請求項１の箒保管用具。請求項３として、上記台座を塵入れ部としたことを特徴とする請求項１又は２のいずれかに記載の箒保管用具。請求項４として、上記脚と挟着片の一方と台座を一体成型したことを特徴とする請求項１ないし３のいずれかに記載の箒保管用具。
【発明の効果】
【０００８】
箒の柄部の先端に箒のブラシ部を連接しただけの箒でも、使用目的や材料によって様々なものが作られていて、第１として、箒の柄部の太さや長さが違う。第２として、箒の柄部の材料が違う。第３として、箒のブラシ部の丈が違う。しかしながら、人が手で箒の柄部を握って使う箒であれば、箒の柄部の太さに大きな差は無く、材料は表面が合成樹脂で覆われたものや、木材や竹材でできているものが一般的である。
【０００９】
２つの挟着片で箒の柄部を握るように挟んで、箒に取り付けられる本発明は、挟着片の内面側に箒の柄部の表面との摩擦力を高める滑り止めを取り付けて、箒の柄部を把持する力を強めることができる。そのことにより、箒の柄部の太さに多少の差があっても、箒の柄部の材料に違いがあっても、箒の柄部をしっかりと把持して箒に取り付くことができる。また、竹材で作られた箒の柄部のように均一な太さでない物にも対応することができる。
【００１０】
また、本発明は脚の丈が箒のブラシ部の丈より長いことが必要である。箒は使用目的やブラシ材により箒のブラシ部の丈が違うが、脚の丈が箒のブラシ部の丈より長ければよいので、脚の丈を、箒のブラシ部の丈の最も長い箒に合わせれば全ての箒に対応できる。しかし、不要な長さを避けるために、脚の丈が違う本発明を何種類か用意することで、様々な箒を、箒のブラシ部の先端を下向けて保管でき、保管場所の変更が容易で、着脱がスムーズにでき、見た目が良く、少ないスペースで箒を保管することができる。
【図面の簡単な説明】
【００１１】
【図１】本発明の実施例１の形態を示す斜視図である。
【図２】図１で実施例を示した本発明の滑り止めを取り付けた脚付き挟着片の斜視図である。
【図３】図１で実施例を示した本発明の滑り止めを取り付けた挟着片の斜視図である。
【図４】図１で実施例を示した本発明を使って箒を保管する方法の斜視図である。
【図５】図１で実施例を示した本発明を、箒に取り付けたまま箒を使用する方法の斜視図である。
【図６】本発明の実施例２の形態を示した斜視図である。
【図７】図６で実施例を示した本発明の挟着部の斜視図である。
【図８】図６で実施例を示した本発明の塵入れ部の斜視図である。
【図９】本発明の実施例３の形態を示した斜視図である。
【図１０】図９で実施例を示した本発明の挟着部の斜視図である。
【図１１】図９で実施例を示した本発明の塵入れ部の斜視図である。
【図１２】本発明の実施例４の形態を示した斜視図である。
【図１３】図１２で実施例を示した本発明の挟着部の斜視図である。
【発明を実施するための形態】
【００１２】
本発明は、脚３ｄの先端が床や地面と、線で接する本発明と面で接する本発明を実施することができ、どれも、直線棒状の箒の柄部１ａの先端に箒のブラシ部１ｂを連接した構成の、手で握って使用する通常一般の箒１を箒のブラシ部１ｂの先端を下に向けて保管することができ、保管場所の変更が容易であり、箒への着脱がスムーズにでき、見た目が良く、保管の為のスペースが少なくてすむものである。
【００１３】
本発明は、箒と同数あると便利なものである。従って、安価で丈夫で長持ちするものが望まれる。そこで、可能な限り、合成樹脂の一体成型で実施するようにする。
【実施例１】
【００１４】
本発明の実施例１は、図１のように脚３ｄの下端部の台座３ｅが床や地面と線状に接すことを特徴とするもので、図４のように箒１に取り付けて静止物に立て掛け、その箒１を保管するものであり、箒１を使用するときは本発明を取り外すか、図５のように本発明の取り付け位置を上方にずらし、箒のブラシ部１ｂの先端が床や地面に触れるようにする。
【００１５】
箒の柄部１ａを挟んで把持する挟着部材は、挟着片２と脚付き挟着片３の２つの挟着片からなる。
【００１６】
挟着片２は、図３のように合成樹脂で一体成型されたもので、脚付き挟着片３と連結するための挟着片連結回動部２ｂを挟んで、一方に挟着片挟み部２ａ、他方に挟着片摘み部２ｃを設けた構造である。
【００１７】
脚付き挟着片３も挟着片２と同様に、合成樹脂で一体成型されたもので、図２のように、挟着片２と連結するための挟着片連結回動部３ｂを挟んで、一方に脚付き挟着片挟み部３ａ、他方に脚付き挟着片摘み部３ｃを設けた構造である。脚３ｄは、脚付き挟着片挟み部３ａより伸びていて、台座３ｅを含む脚３ｄの丈は箒のブラシ部１ｂの丈より長く、箒１に取り付けた本発明を箒１ごと支えるものである。図２のように、脚３ｄは中央に補強骨３ｉを持ち、横断面は弧状で、脚付き挟着片挟み部３ａとの繋がりをスムーズにすると共に、箒１を保管するために静止物に立て掛けたときのたわみを少なくすることのできる構造とする。脚３ｄの床や地面と接する側に板状で末広がりの台座３ｅ設け、床や地面と接する線を長くして、静止物に立て掛けたとき安定するようにする。台座３ｅを末広がりにすることにより、脚３ｄを上下に動かしたとき、台座３ｅが箒のブラシ部１ｂに触れてブラシ材を引っかけても外れやすくなり、箒のブラシ部１ｂを傷めないようにすることができる。
【００１８】
図２と図３のように、挟着片挟み部２ａと脚付き挟着片挟み部３ａの内面側にゴム製の滑り止め４を取り付け、本発明が箒の柄部１ａを挟んで把持する力を強め、箒の柄部１ａの材料や太さの違いに対応できるようにする。
【００１９】
挟着片２と脚付き挟着片３を向かい合わせて、挟着片連結回動部２ｂと脚付き挟着片連結回動部３ｂで組み合わせ、挟着片挟み部２ａと脚付き挟着片挟み部３ａの間が閉じ、挟着片摘み部２ｃと脚付き挟着片摘み部３ｃの間が開く向きに２本のリング状のバネ５を付勢させて連結する。このようにすると、挟着片摘み部２ｃと脚付き挟着片摘み部３ｃを近づけたり離したりする操作により、挟着片挟み部２ａと脚付き挟着片挟み部３ａの間が開いたり閉じたりするので、ここに箒の柄部１ａ通し、挟んで把持し、本発明を箒１に取り付けることができる。このとき、台座３ｅを含む脚３ｄの先端が箒のブラシ部１ｂより先に出るように取り付けることで、箒１を保管することができる。実施例１はこのような構造なので、さまざまな種類の箒を保管することができ、保管場所の変更が容易であり、箒への着脱がスムーズにでき、見た目が良く、保管の為のスペースが少なくてすむものである。
【実施例２】
【００２０】
本発明の実施例２は、図６及び図７、図８のように脚３ｄの床や地面と接する側に、底板３ｇが床や地面と面で接し、前方部が開放した塵入れ部３ｆを設け、塵入れ部３ｆを含めた脚３ｄの丈を箒のブラシ部１ｂの丈より長くすることにより、箒１を保管するときには、箒の柄部１ａを把持したまま自立して箒１を床や地面から浮かせた状態に保つことができ、箒１で掃除をするときには本発明を塵取りとして使うことができるものである。
【００２１】
挟着片２は、合成樹脂で一体成型されたもので、図７のように挟着片連結回動部２ｂを挟んで、一方に挟着片挟み部２ａ、他方に挟着片摘み部２ｃを設けた構造である。
【００２２】
脚付き挟着片３は、図６のように箒の柄部１ａを把持して箒１に取り付くための部分と脚３ｄと塵入れ部３ｆからなり、合成樹脂で一体成型されたもので、図７のように脚付き挟着片連結回動部３ｂを挟んで、一方に脚付き挟着片挟み部３ａ、他方に脚付き挟着片摘み部３ｃを設け、脚付き挟着片摘み部３ｃの端が脚３ｄと繋がり、その先に、塵入れ部３ｆが設けられている。脚付き挟着片摘み部３ｃは、本発明を塵取りとして使用するときには、塵取りの握りとなるので握り易い大きさと形状にする。
【００２３】
図７のように、挟着片挟み部２ａと脚付き挟着片挟み部３ａに筒状のゴム製の滑り止め４を被せて取り付け、本発明が箒の柄部１ａを挟んで把持する力を強め、箒の柄部１ａの材料や太さの違いに対応できるようにする。
【００２４】
挟着片２と脚付き挟着片３を図７のように向かい合わせて連結回動部を組み合わせ、中央がコイルで両端が直線状のバネ５を、挟着片挟み部２ａと脚付き挟着片挟み部３ａの間が閉じ、挟着片摘み部２ｃと脚付き挟着片摘み部３ｃの間が開く向きに作用するように取り付ける。
【００２５】
このようにすると、右手で箒を持つ人であれば、左手の親指以外の指で脚付き挟着片摘み部３ｃを握り、挟着片摘み部２ｃに親指を掛け、挟着片摘み部２ｃと脚付き挟着片摘み部３ｃを近づけたり離したりする操作により、連結回動部を支点にして脚付き挟着片挟み部３ａと挟着片挟み部２ａの間が開いたり閉じたりするので、ここに箒の柄部１ａを通し、挟んで把持し、本発明を箒１に取り付けることができる。この操作は極めて簡単なので、本発明を箒の保管に使うことと塵取りとして使うことをスムーズに切り替えることができる。また、脚３ｄの塵入れ部３ｆの底板３ｇが平板なので箒の柄部１ａを把持したまま自立することができる。実施例２はこのような構造なので、さまざまな種類の箒を保管することができ、保管場所の変更が容易であり、箒への着脱がスムーズにでき、見た目が良く、保管の為のスペースが少なくてすむものである。
【実施例３】
【００２６】
本発明の実施例３は実施例２と似た構造で、使い方は同じであるが、脚付き挟着片３の脚３ｄの取り付け位置が違うので、実施例２では図６のように、脚３ｄが曲がった構造でなければならなかったが、実施例３では図９のように、脚３ｄが真っ直ぐでよい。塵入れ部３ｆを含めた脚３ｄの丈を箒のブラシ部１ｂの丈より長くすることは実施例２と同じである。
【００２７】
挟着片２は、合成樹脂で一体成型されたもので、図１０のように挟着片連結回動部２ｂを挟んで、一方に挟着片挟み部２ａ、他方に挟着片摘み部２ｃを設けた構造である。
【００２８】
脚付き挟着片３は、図９ように箒の柄部１ａを把持して箒１に取り付くための部分と脚３ｄと塵入れ部３ｆからなり、合成樹脂で一体成型されたもので、図１０のように脚付き挟着片連結回動部３ｂを挟んで、一方に脚付き挟着片挟み部３ａ、他方に脚付き挟着片摘み部３ｃを設け、脚３ｄは、脚付き挟着片摘み部３ｃの脚付き挟着片連結回動部３ｂ側に繋がり、箒の柄部１ａを把持して箒１に取り付くための部分と一体化している。脚付き挟着片摘み部３ｃは、本発明を塵取りとして使用するときには、塵取りの握りとなるので握り易い大きさと形状にする。
【００２９】
図１０のように、挟着片挟み部２ａと脚付き挟着片挟み部３ａに筒状のゴム製の滑り止め４を被せて取り付け、本発明が箒の柄部１ａを挟んで把持する力を強め、箒の柄部１ａの材料や太さの違いに対応できるようにする。
【００３０】
挟着片２と脚付き挟着片３を図１０のように向かい合わせて組み合わせ、中央がコイルで両端が直線状のバネ５を、挟着片挟み部２ａと脚付き挟着片挟み部３ａの間が閉じ、挟着片摘み部２ｃと脚付き挟着片摘み部３ｃの間が開く向きに作用するように取り付ける。
【００３１】
このようにすると、右手で箒を持つ人であれば、左手の親指以外の指で脚付き挟着片摘み部３ｃ握り、挟着片摘み部２ｃに親指を掛け、挟着片摘み部２ｃと脚付き挟着片摘み部３ｃを近づけたり離したりする操作により、連結回動部を支点にして脚付き挟着片挟み部３ａと挟着片挟み部２ａの間が開いたり閉じたりするので、ここに箒の柄部１ａを通し、挟んで把持し、本発明を箒１に取り付けることができる。この操作は極めて簡単なので、本発明を箒の保管に使うことと塵取りとして使うことをスムーズに切り替えることができる。また、脚３ｄの塵入れ部３ｆの底板３ｇが平板なので箒の柄部１aを把持したまま自立することができる。実施例３はこのような構造なので、さまざまな種類の箒を保管することができ、保管場所の変更が容易であり、箒への着脱がスムーズにでき、見た目が良く、保管の為のスペースが少なくてすむものである。
【実施例４】
【００３２】
本発明の実施例４は、図１２のように脚付き挟着片摘み部３ｃから塵入れ部３ｆに伸びる脚３ｄの他に、脚付き挟着片摘み部３ｃから塵入れ部３ｆに伸びる２本の補助脚７を設けたものであり、これは、実施例２に補助脚７を２本追加した構造である。実施例４では塵入れ部３ｆを脚３ｄと２本の補助脚７で支えるので、実施例２より塵入れ部３ｆを大きくすることができ、たくさんの塵を一度に取ることができる。塵入れ部３ｆを含めた脚３ｄの丈を箒のブラシ部１ｂの丈より長くすることは実施例２、実施例３と同じであるが、塵入れ部３ｆの底板３ｇが実施例２、実施例３より大きいので、箒１を把持して自立させたとき、実施例２、実施例３より安定して立つことができる。
【００３３】
挟着片２は、合成樹脂で一体成型されたもので、図１３のように挟着片連結回動部２ｂを挟んで、一方に挟着片挟み部２ａ、他方に挟着片摘み部２ｃを設けた構造である。
【００３４】
脚付き挟着片３は、図１２のように、箒の柄部１ａを把持して箒１に取り付くための部分と脚３ｄと塵入れ部３ｆからなり、合成樹脂で一体成型されたもので、図１３のように脚付き挟着片連結回動部３ｂを挟んで、一方に脚付き挟着片挟み部３ａ、他方に脚付き挟着片摘み部３ｃを設けたものである。脚付き挟着片摘み部３ｃは、脚３ｄと繋がる部分であり、また、塵取りの握りとしての役割を持つ部分でもある。
【００３５】
図１３のように、挟着片挟み部２ａと脚付き挟着片挟み部３ａに筒状のゴム製の滑り止め４を被せて取り付け、本発明が箒の柄部１ａを挟んで把持する力を強め、箒の柄部１ａの材料や太さの違いに対応できるようにする。
【００３６】
挟着片２と脚付き挟着片３を図１３のように向かい合わせて組み合わせ、中央がコイルで両端が直線状のバネ５を、挟着片挟み部２ａと脚付き挟着片挟み部３ａの間が閉じ、挟着片摘み部２ｃと脚付き挟着片摘み部３ｃの間が開く向きに作用するように取り付ける。
【００３７】
このようにすると、右手で箒を持つ人であれば、左手の親指以外の指で脚付き挟着片摘み部３ｃ握り、挟着片摘み部２ｃに親指を掛け、挟着片摘み部２ｃと脚付き挟着片摘み部３ｃ側を近づけたり離したりする操作により、連結回動部を支点にして脚付き挟着片挟み部３ａと挟着片挟み部２ａの間が開いたり閉じたりするので、ここに箒の柄部１ａを通し、挟んで把持し、本発明を箒１に取り付けることができる。この操作は極めて簡単なので、本発明を箒の保管に使うことと塵取りとして使うことをスムーズに切り替えることがでる。実施例４はこのような構造なので、さまざまな種類の箒を保管することができ、保管場所の変更が容易であり、箒への着脱がスムーズにでき、見た目が良く、保管の為のスペースが少なくてすむものである。更に、実施例２及び３より多くの塵を一度に取ることができる。
【産業上の利用可能性】
【００３８】
本発明は、箒の保管を目的としたものであるが、脚の床や地面と接する側を実情に合わせることで、箒以外の棒状の物を保管する為の保管用器具とすることができる。
【符号の説明】
【００３９】
１  箒
１ａ  箒の柄部
１ｂ  箒のブラシ部
２  挟着片
２ａ  挟着片挟み部
２ｂ  挟着片連結回動部
２ｃ  挟着片摘み部
３  脚付き挟着片
３ａ  脚付き挟着片挟み部
３ｂ  脚付き挟着片連結回動部
３ｃ  脚付き挟着片摘み部
３ｄ  脚
３ｅ  台座
３ｆ  塵入れ部
３ｇ  底板
３ｈ  側壁
３ｉ  補強骨
４  滑り止め
５  バネ
６  連結棒
７  補助脚
１０  実施例１の本発明
２０  壁
３０  床
【図１】
2013244089.tif 000003
【図２】
2013244089.tif 000004
【図３】
2013244089.tif 000005
【図４】
2013244089.tif 000006
【図５】
2013244089.tif 000007
【図６】
2013244089.tif 000008
【図７】
2013244089.tif 000009
【図８】
2013244089.tif 000010
【図９】
2013244089.tif 000011
【図１０】
2013244089.tif 000012
【図１１】
2013244089.tif 000013
【図１２】
2013244089.tif 000014
【図１３】
2013244089.tif 000015